(57)【要約】      （修正有）【課題】緊急災害時の飲料水及び衛生管理用水は、ライフラインが完全に断絶された場合においても供給可能とする水供給システムを提供する。【解決手段】各種水源から原水を揚水ポンプで汲み上げて貯留する原水貯留槽３と、該原水貯留槽に貯留された前記原水を浄化ユニット４を駆動して細菌類及びウイルスの一部を除去して貯留する処理槽５と、該処理槽に貯留された前記処理水を電解水ユニット６を駆動して生成された電解水にて殺菌処理を行った後、飲料水や衛生管理用水として給水することを特徴とする水供給システム。【選択図】図１
2010274182.tif 000002
【特許請求の範囲】
【請求項１】
各種水源から原水を揚水ポンプで汲み上げて貯留する原水貯留槽と、該原水貯留槽に貯留された前記原水を浄化ユニットを駆動して細菌類及びウイルスの一部を除去して貯留する処理槽と、該処理槽に貯留された前記処理水を電解水ユニットを駆動して生成された電解水にて殺菌処理を行った後、飲料水や、殺菌効果を保持する感染予防に有効な衛生管理用水として給水することを特徴とする水供給システム。
【請求項２】
上記揚水ポンプや上記各ユニットの駆動動力源が太陽光発電による電源からなることを特徴とする請求項１に記載の水供給システム。
【請求項３】
上記揚水ポンプが直流モーター式のポンプからなることを特徴とする請求項１に記載の水供給システム。
【請求項４】
上記電解水ユニットに食塩を電解質として使用し、前記電解水ユニットの電解槽が３室構造からなることを特徴とする請求項１に記載の水供給システム。
【請求項５】
上記電解水ユニットで生成された次亜塩素酸を主とする酸性水を殺菌に使用することで、塩素ガス及びイオン化合物の生成を抑制したことを特徴とする請求項１に記載の水供給システム。
【発明の詳細な説明】
【技術分野】
【０００１】
本発明は災害時のライフラインを断たれた集落及び都市において生命維持に必要な水を供給するシステムに関するものであり、太陽光を駆動電源とし、原水を浄化し飲料用水、衛生用水、生活用水などを供給する装置及びシステムに関するものである。
【背景技術】
【０００２】
従来は、手押しポンプまたは、ディ-ゼルエンジンによる井戸水の汲み上げか、ディーゼル発電機と浄化ユニットの組合せで行っている。
【先行技術文献】
【特許文献】
【０００３】
【特許文献１】特願平１０−１４５４７４号公報
【特許文献２】特開２００２−２４２４６８号公報
【特許文献３】特開２００４−５８００６号公報
【特許文献４】特願平０８−１１８２６５号公報
【発明の概要】
【発明が解決しようとする課題】
【０００４】
本発明は地震などの緊急災害時において生命維持に必要とされる飲料水や衛生管理用水を近くにある水源から容易に生成することができ、建物倒壊後の完全に隔離された集落に供給することが可能な水供給システムを提供する。
【課題を解決するための手段】
【０００５】
上記の目的達成するために、本発明は、各種水源から原水を揚水ポンプで汲み上げて貯留する原水貯留槽と、該原水貯留槽に貯留された前記原水を浄化ユニットを駆動して細菌類及びウイルスの一部を除去して貯留する処理槽と、該処理槽に貯留された前記処理水を電解水ユニットを駆動して生成された電解水にて殺菌処理を行った後、飲料水や殺菌効果を保持する感染予防に有効な衛生管理用水として給水することを特徴とする水供給システムで、前記揚水ポンプや前記各ユニットの駆動動力源が太陽光発電による電源からなり、更に、前記揚水ポンプが直流モーター式のポンプからなると共に、前記電解水ユニットに食塩(NaCL＋KCLなどの塩)を電解質として使用し、前記電解水ユニットの電解槽が３室構造からなる.また、前記電解水ユニットで生成された次亜塩素酸を主とする酸性水を殺菌に使用することで、塩素ガス及びイオン化合物の生成を抑制した塩素ガス及びイオン化合物の生成を抑制したことを特徴とする水供給システムである。言い換えると、第1に、プール、池、雨水貯留槽などの水源よりソーラー発電と直流モーター式のポンプにより原水を汲み上げ原水タンクに貯留する。その後に中空糸フィルターを内蔵した浄化ユニットを通して細菌類及びウイルスの一部を除去した後に処理槽に貯留する。その貯留された水をさらに電気分解による電解水ユニット通じて生成された電解水にて殺菌処理を行った後、一旦貯留し、飲料水供給配管に注入する。また、生成電解水の一部は、直接取り出せるような配管を設け、衛生管理用水として使用する。上記ユニットのすべては、ソーラー発電による電源にて、非常時には特に直接駆動させることができ、さらに夜間のバックアップ電源としてバッテリーユニットを設ける。
【０００６】
第２にこのシステムに使用する電解水生成装置は食塩を電解質として使用するが、電解槽が３室構造となっており生成された電解水の中には、ナトリウム及び塩素イオンが極端に少ない水となる、その結果、生成された強酸性水は、自然分解が抑制され、強酸性水の殺菌力を保持することができる。尚かつ、イオン結合による化合物の発生が少なくなり、水道法の規定内の飲料水を簡単に造ることができる。
【発明の効果】
【０００７】
従来は、ウイルスの除去において逆浸透膜または、オゾン殺菌等を用いていたが、コストや安全性の点で問題があったが、強酸性電解水を利用することで安全で、かつ安価に殺菌できることができる。
【０００８】
本発明は上述の装置及びシステムによってライフラインが完全に遮断された場合においても身近な水源さえあれば太陽光による発電と直流モーター駆動のシステムによって完全自己完結型のシステムが構築可能で容易に緊急災害時の必要な水を提供することができる。また、インフルエンザ等の感染予防としての「うがい」や「手洗い」に使用することが可能である。
【０００９】
『三室型で生成された酸性水には、（ＣＬＯ−）イオンが存在せず、次亜塩素酸の比率がほぼ１００％で殺菌力が強い。  また水素イオンや余分な塩素イオンが少ないので逆反応による塩素ガスの生成が抑制され長期間の保存が可能である。』
【図面の簡単な説明】
【００１０】
【図１】本発明のソーラー発電を用いた災害用水供給システムのフローチャート図である。
【発明を実施するための形態】
【００１１】
以下図１を参照しながら説明する。
【実施例】
【００１２】
本発明は、図１のように、プール１、池、河川、湖、雨水貯留槽 を水源とする。公共施設には、通常プール１１や雨水タンク２などを設けた。
【００１３】
ソーラーパネル９により発電された直流電源で駆動する直流モーターポンプＰa、通常バッテリー駆動、によって、上記１のプール１及び２の雨水タンク２より水を汲み上げた。汲み上げられた水は、そのまま３の原水タンクに貯留し、さらにメンバランフィルター内蔵の浄化ユニット４によって細菌類等の除去を行ない処理水タンク５に貯留した。
【００１４】
さらにこの水は、３室構造の電解槽、本実施例では食塩NaClを電解質として用いたが、塩化カリュウムKCL等を用いても良い、をもった電解水生成ユニット６により電気分解され強酸性とアルカリ性水を生成した。このそれぞれの水を再度混ぜ合せた後、処理水移送ポンプＰbで電解水タンク７に貯留した
【００１５】
電解水タンク７に貯留された電解水は送水ポンプＰcにより飲料水タンク８の吐出配管に添加され飲料水として利用先に供給した。
【００１６】
また、電解水は送水ポンプＰcの吐出配管が分岐配管となっており殺菌、衛生管理水として利用先に供給された。
【００１７】
また、電解水タンク７に貯留された電解水を重力ヘッドでプール１に戻し循環させることで従来の消毒用の次亜塩素酸ソーダの代用としてプール１の殺菌を行った。
【００１８】
表1に  従来の次亜塩素ソーダによる殺菌と本発明の実施例の比較した表を添付する。代表的な比較例では、
1.殺菌力は、実施例の方が従来より高い。
2.イオン化合物生成は、実施例の方が従来より少ない。
3.塩素発生量は、実施例の方が従来より少ない。
4.人体への影響は、実施例の方が従来より少ない。
【００１９】
【表１】
2010274182.tif 000003
【産業上の利用可能性】
【００２０】
本発明のソーラー発電を用いた災害用水供給システムは、緊急時の生命維持水の提供だけでなく隔離された集落の生活用水の確保やプール、浴槽の通常のろ過装置の補助機器としての使用も可能である。
【符号の説明】
【００２１】
１       プール
２       雨水タンク
３       原水タンク
４       浄化ユニット
５       処理水タンク
６       電解水生成ユニット
７       電解水タンク
８       飲料水タンク
９       ソーラーパネル
Ｐa      直流モーターポンプ
Ｐb      処理水移送ポンプ
Ｐc      電解水移送ポンプ
【図１】
2010274182.tif 000004